(57)【要約】【課題】  回転軸と、回転軸により駆動される圧縮機構と、回転軸と圧縮機構とを収容するハウジングと、回転軸のハウジング貫通部をシールする軸封部材と、軸封部材の近傍に且つ軸封部材よりもハウジング内側に配設されて回転軸を回転可能に支持するころ軸受とを備える圧縮機であって、回転軸表面を伝わって軸封装置側へ移動する被圧縮流体の軸封装置への接近が抑制された圧縮機を提供する。【解決手段】  回転軸と、回転軸により駆動される圧縮機構と、回転軸と圧縮機構とを収容するハウジングと、回転軸のハウジング貫通部をシールする軸封部材と、軸封部材の近傍に且つ軸封部材よりもハウジング内側に配設されて回転軸を回転可能に支持するころ軸受とを備え、ころ軸受のころ表面に溝が形成され、当該溝はころが回転軸に接触して回転することにより溝内の流体にハウジング内側へ向う付勢力が印加される方向へ差し向けられている。【選択図】  図２
2006242006.tif 000002
【特許請求の範囲】
【請求項１】
回転軸と、回転軸により駆動される圧縮機構と、回転軸と圧縮機構とを収容するハウジングと、回転軸のハウジング貫通部をシールする軸封部材と、軸封部材の近傍に且つ軸封部材よりもハウジング内側に配設されて回転軸を回転可能に支持するころ軸受とを備え、ころ軸受のころ表面に溝が形成され、当該溝はころが回転軸に接触して回転することにより溝内の流体にハウジング内側へ向う付勢力が印加される方向へ差し向けられていることを特徴とする圧縮機。
【請求項２】
前記溝は連続した螺旋溝であることを特徴とする請求項１に記載の圧縮機。
【請求項３】
前記溝はハウジング内側からハウジング外側へ向けて漸閉するように形成されていることを特徴とする請求項１又は２に記載の圧縮機。
【発明の詳細な説明】
【技術分野】
【０００１】
本発明は、軸封装置の近傍に配設されたころ軸受を備える圧縮機に関するものである。
【背景技術】
【０００２】
回転軸と、回転軸により駆動される圧縮機構と、回転軸と圧縮機構とを収容するハウジングと、回転軸のハウジング貫通部をシールする軸封部材と、軸封部材の近傍に且つ軸封部材よりもハウジング内側に配設されて回転軸を回転可能に支持するころ軸受とを備える圧縮機が特許文献１等に開示されている。
【特許文献１】特開２００２−００５０２２
【発明の開示】
【発明が解決しようとする課題】
【０００３】
回転軸のハウジング貫通部を介する被圧縮流体のハウジング外への漏洩は、当該貫通部に配設された軸封装置により阻止されているが、軸封装置は被圧縮流体のハウジング外への漏洩を完全に阻止できるものではないので、回転軸表面を伝わって軸封装置側へ移動する被圧縮流体の軸封装置への接近を抑制する必要がある。従来の圧縮機では係る抑制策は施されていなかった。
本発明は上記問題に鑑みてなされたものであり、回転軸と、回転軸により駆動される圧縮機構と、回転軸と圧縮機構とを収容するハウジングと、回転軸のハウジング貫通部をシールする軸封部材と、軸封部材の近傍に且つ軸封部材よりもハウジング内側に配設されて回転軸を回転可能に支持するころ軸受とを備える圧縮機であって、回転軸表面を伝わって軸封装置側へ移動する被圧縮流体の軸封装置への接近が抑制された圧縮機を提供することを目的とする。
【課題を解決するための手段】
【０００４】
上記課題を解決するために、本発明においては、回転軸と、回転軸により駆動される圧縮機構と、回転軸と圧縮機構とを収容するハウジングと、回転軸のハウジング貫通部をシールする軸封部材と、軸封部材の近傍に且つ軸封部材よりもハウジング内側に配設されて回転軸を回転可能に支持するころ軸受とを備え、ころ軸受のころ表面に溝が形成され、当該溝はころが回転軸に接触して回転することにより溝内の流体にハウジング内側へ向う付勢力が印加される方向へ差し向けられていることを特徴とする圧縮機を提供する。
本発明に係る圧縮機においては、回転軸表面を伝わって軸封装置側へ移動する被圧縮流体は、回転軸に接触して回転するころ軸受のころ表面に形成された溝に流入し、ころに接触しつつ回転する回転軸から付勢力を受けてハウジング内側へ押し戻される。この結果、回転軸表面を伝わって軸封装置側へ移動する被圧縮流体の軸封装置への接近が抑制される。
【０００５】
本発明の好ましい態様においては、前記溝は連続した螺旋溝である。
前記溝を連続した螺旋溝とすることにより、回転軸表面を伝わって軸封装置側へ移動する被圧縮流体を効率よくハウジング内側へ押し戻すことができる。
【０００６】
本発明の好ましい態様においては、前記溝はハウジング内側からハウジング外側へ向けて漸閉するように形成されている。
前記溝をハウジング内側からハウジング外側へ向けて漸閉するように形成することにより、圧縮機停止時に前記溝を介して被圧縮流体が軸封装置側へ移動するのを防止することができる。
【発明の効果】
【０００７】
本発明に係る圧縮機においては、回転軸表面を伝わって軸封装置側へ移動する被圧縮流体は、回転軸に接触して回転するころ軸受のころ表面に形成された溝に流入し、ころに接触しつつ回転する回転軸から付勢力を受けてハウジング内側へ押し戻される。この結果、回転軸表面を伝わって軸封装置側へ移動する被圧縮流体の軸封装置への接近が抑制される。
【発明を実施するための最良の形態】
【０００８】
本発明の実施例に係る往復動圧縮機の弁板を説明する。
【実施例１】
【０００９】
図１に示すように、可変容量型斜板式圧縮機Ａは、回転軸１０と、回転軸１０に固定されたローター１１と、傾角可変に回転軸１０に支持された斜板１２とを備えている。斜板１２は、斜板１２の傾角変動を許容するリンク機構１３を介してローター１１に連結され、ローター１１ひいては回転軸１０に同期して回転する。
斜板１２の周縁部に摺接する一対のシュー１４を介してピストン１５が斜板１２に係留されている。
ピストン１５は、シリンダブロック１６に形成されたボア１６ａに挿入されている。
複数対のシュー１４と、複数のピストン１５とボア１６ａとが、周方向に互いに間隔を隔てて配設されている。
ローター１１、斜板１２、リンク機構１３、シュー１４、ピストン１５は回転軸１０により駆動される圧縮機構を形成している。
回転軸１０、ローター１１、斜板１２を収容するクランク室１７を形成する有底円筒状のフロントハウジング１８が配設されている。回転軸１０は、フロントハウジング１８を貫通して外部へ延びている。
【００１０】
回転軸１０のフロントハウジング貫通部を密封する軸封部材１９が配設されている。
フロントハウジング１８に取り付けられた電磁クラッチ２０を介して図示しない外部駆動源から回転軸１０の先端部に回転動力が伝達される。
吸入室２１ａと吐出室２１ｂとを形成するシリンダヘッド２１が配設されている。
【００１１】
シリンダブロック１６とシリンダヘッド２１との間にボア１６ａに連通する吸入穴２２ａと吐出穴２２ｂとが形成された弁板２２が配設されている。弁板２２に吸入弁２３と吐出弁２４とが装着されている。
【００１２】
フロントハウジング１８、シリンダブロック１６、弁板２２、シリンダヘッド２１は、ボルト２５により一体に組み付けられている。
フロントハウジング１８、シリンダブロック１６、シリンダヘッド２１は、ローター１１、リンク機構１３、斜板１２、シュー１４、ピストン１５により構成される圧縮機構と、圧縮機構を駆動する回転軸１０とを収容するハウジングを形成している。
【００１３】
回転軸１０は、ラジアルベアリング２６、２７を介してフロントハウジング１８、シリンダブロック１６により回転可能に支持され、ローター１１はスラストベアリング２８を介してフロントハウジング１８により回転可能に支持されている。ラジアルベアリング２６、２７、スラストベアリング２８はころ軸受として構成されている。
図２に示すように、軸封装置１９に隣接して且つ軸封装置１９よりもハウジング内側に配設されたころ軸受であるラジアルベアリング２６のころ２６ａの表面に、ころ２６ａの延在方向に互いに間隔を隔てて複数の溝２６ｂが形成されている。溝２６ｂは、ころ２６ａが回転軸１０に接触しつつ回転する際に、回転軸１０の表面が溝２６ｂ内の流体にハウジング内側へ向う付勢力を与える方向に差し向けられている。
【００１４】
可変容量型斜板式圧縮機Ａにおいては、図示しない外部駆動源の回転動力が電磁クラッチ２０を介して回転軸１０に伝達され、回転軸１０の回転がローター１１、リンク機構１３を介して斜板１２に伝達される。斜板１２の回転に伴う斜板１２周縁部の回転軸１０延在方向の往復動が、シュー１４を介してピストン１５に伝達され、ピストン１５がボア１６ａ内で往復動する。外部冷凍回路から還流した冷媒が、シリンダヘッド２１に形成された吸入ポートと吸入室２１ａと吸入穴２２ａと吸入弁２３とを介してボア１６ａへ吸入され、ボア１６ａ内で圧縮され、吐出穴２２ｂと吐出弁２４と吐出室２１ｂとシリンダヘッド２１に形成された吐出ポートとを介して外部冷凍回路へ流出する。
【００１５】
可変容量型斜板式圧縮機Ａにおいては、クランク室１７内に溜まった液冷媒の一部が回転軸１０の表面を伝わって軸封装置１９側へ移動するが、液冷媒は、回転軸１０に接触して回転するラジアルベアリング２６のころ２６ａ表面に形成された溝２６ｂに流入し、ころ２６ａに接触しつつ回転する回転軸１０の表面から付勢力を受けてハウジング内側、すなわちクランク室１７側へ押し戻される。この結果、回転軸１０の表面を伝わって軸封装置１９側へ移動する液冷媒の軸封装置１９への接近が抑制される。
【実施例２】
【００１６】
複数の溝２６ｂに代えて、ころ２６ａが回転軸１０に接触して回転することにより溝内の液冷媒にハウジング内側へ向う付勢力が印加される方向へ差し向けられた連続する螺旋溝を、ころ２６ａの表面に形成しても良い。
ころ２６ａの表面に連続的な螺旋溝を形成することにより、回転軸１０の表面を伝わって軸封装置１９側へ移動する液冷媒を効率良くハウジング内側へ押し戻すことができる。
【実施例３】
【００１７】
複数の溝２６ｂや螺旋溝を、ハウジング内側からハウジング外側へ向けて漸閉するように形成しても良い。
複数の溝２６ｂや螺旋溝をハウジング内側からハウジング外側へ向けて漸閉するように形成することにより、圧縮機の運転時には溝内の液冷媒をハウジング内側へ押し戻して溝の端部から排出し、圧縮機停止時には前記溝を介して被圧縮流体が軸封装置１９側へ移動するのを防止することができる。
【産業上の利用可能性】
【００１８】
本発明は、回転軸と、回転軸により駆動される圧縮機構と、回転軸と圧縮機構とを収容するハウジングと、回転軸のハウジング貫通部をシールする軸封部材と、軸封部材の近傍に且つ軸封部材よりもハウジング内側に配設されて回転軸を回転可能に支持するころ軸受とを備える種々の圧縮機に広く利用可能である。
【図面の簡単な説明】
【００１９】
【図１】本発明の第１実施例に係る変容量型斜板式圧縮機の断面図である。
【図２】本発明の第１実施例に係る変容量型斜板式圧縮機が備えるころ軸受の部分拡大斜視図である。
【符号の説明】
【００２０】
Ａ  可変容量型斜板式圧縮機
１０  回転軸
１１  ローター
１２  斜板
１３  リンク機構
１４  シュー
１５  ピストン
１６  シリンダブロック
１８  フロントハウジング
１９  軸封部材
２１  シリンダヘッド
２２  弁板
２３  吸入弁
２４  吐出弁
２６、２７  ラジアルベアリング
２８  スラストベアリング
２６ａ  ころ
２６ｂ  溝
【図１】
2006242006.tif 000003
【図２】
2006242006.tif 000004